(57)【要約】  導体挿入軸（Ｌ）と同軸に配置され、少なくとも部分的に周回する導体チャネル壁（４）を有する導体挿入軸（Ｌ）の方向に延びる導体挿入チャネル（３）と、導体挿入チャネル（３）に隣接して配置される操作チャネル（５）とを有する絶縁材ハウジング（２）を備えた接続端子（１）が記載されている。この接続端子（１）はさらに、当接脚（１２）、クランプ脚（１５）、および当接脚（１２）をクランプ脚（１５）に結合するばねアーチ（１３）を有するＵ字状に曲げられた脚ばね（１１）と、バスバー（８）と、長手方向に移動可能に操作チャネル内（５）に収容された操作ボタン（６）とを有する。当接脚（１２）はバスバー（８）に支承され、バスバー（８）の接触領域を備えたクランプ脚（１５）のクランプ縁部（１７）は、スプリングクランプ端子を形成する。操作チャネル（５）内の操作ボタン（６）の縦移動方向によって定義される操作軸（Ｂ）と、導体挿入軸（Ｌ）とが、互いに対して５°〜３０°の角度で調整されている。【選択図】図１
2020518954.tif 000002
【特許請求の範囲】
【請求項１】
−  導体挿入軸（Ｌ）と同軸に配置され、少なくとも部分的に周回する導体チャネル壁（４）を有する前記導体挿入軸（Ｌ）の方向に延びる導体挿入チャネル（３）と、前記導体挿入チャネル（３）に隣接して配置される操作チャネル（５）とを有する絶縁材ハウジング（２）と、
−  当接脚（１２）、クランプ脚（１５）、および前記当接脚（１２）を前記クランプ脚（１５）に結合するばねアーチ（１３）を有するＵ字状に曲げられた脚ばね（１１）と、
−  バスバー（８）と、
−  長手方向に移動可能に前記操作チャネル内（５）に収容された操作ボタン（６）と
を有し、
前記当接脚（１２）は前記バスバー（８）に支承され、前記バスバー（８）との接触領域を備えた前記クランプ脚（１５）のクランプ縁部（１７）は、前記導体挿入チャネル（３）に挿入された導電体をクランプするためのスプリングクランプ端子を形成する接続端子（１）であって、
前記操作チャネル（５）内の前記操作ボタン（６）の縦移動方向によって定義される操作軸（Ｂ）と、前記導体挿入軸（Ｌ）とが、互いに対して５°〜３０°の角度で方向付けられていることを特徴とする接続端子（１）。
【請求項２】
前記操作軸（Ｂ）と、前記導体挿入軸（Ｌ）とは、互いに対して５°〜２０°の角度で方向付けられていることを特徴とする、請求項１に記載の接続端子（１）。
【請求項３】
前記導体チャネル壁（４）が、前記操作チャネル（５）に対する隔壁（７）を形成し、前記操作ボタン（６）が、前記導体挿入チャネル（３）を円錐状に先細りにした前記隔壁（７）の部分に案内されていることを特徴とする、請求項１または２に記載の接続端子（１）。
【請求項４】
前記バスバー（８）が接続開口部（９）を有し、前記脚ばね（１１）が前記接続開口部（９）に装入されており、前記クランプ脚（１５）が前記操作ボタン（６）によって前記当接脚（１２）に向かって変位する操作状態において、前記操作ボタン（６）が前記接続開口部（９）内に突出することを特徴とする、請求項１から３のいずれか一項に記載の接続端子（１）。
【請求項５】
前記操作ボタン（６）が、前記クランプ脚（１５）に力を加えるその操作端（２１）で、前記操作端（２１）の幅を縮小する段部（２９ａ、２９ｂ）を有し、前記段部（２９ａ、２９ｂ）が、前記接続開口部（９）を区切る前記バスバー（８）の縁部領域（３０）に当接するストッパを形成することを特徴とする、請求項４に記載の接続端子（１）。
【請求項６】
前記操作ボタン（６）の前記クランプ脚（１５）に向いた面が、操作ヘッド（２２）から、前記クランプ脚（１５）まで突出部なしに構成されていることを特徴とする、請求項１から５のいずれか一項に記載の接続端子（１）。
【請求項７】
前記クランプ脚（１５）に力を加える前記操作ボタン（６）の前記操作端（２１）の端面が、角のない輪郭を有することを特徴とする、請求項１から６のいずれか一項に記載の接続端子（１）。
【請求項８】
前記操作チャネル（５）が、前記導体挿入チャネル（３）の円筒形周面収容部（Ｍ）に隣接するヘッド部で、前記絶縁材ハウジング（２）の外側に向かって円錐状に拡張することを特徴とする、請求項１から７のいずれか一項に記載の接続端子（１）。
【請求項９】
前記操作ボタン（６）が、円錐状に拡張した前記ヘッド部に操作ヘッド（２２）を有し、前記操作ヘッド（２２）が、操作軸（Ｂ）に対して垂直な断面で見て、前記絶縁材ハウジング（２）の外側に向かって厚みが増えることを特徴とする、請求項８に記載の接続端子（１）。
【請求項１０】
前記クランプ脚（１５）が、前記クランプ脚（１５）が前記操作ボタン（６）によって前記当接脚（１２）に偏向されない非操作状態のばねアーチ（１３）から、前記操作ボタン（６）と並んで前記操作ボタン（６）の伸長方向に伸長し、静止位置にある非操作状態の前記操作ボタン（６）の前記操作端（２１）下の湾曲部（２０）の後に、前記操作チャネル（５）および前記導体挿入チャネル（３）またはそれらの連通口を通過しており、前記湾曲部（２０）において前記クランプ脚（１５）と前記当接脚（１２）との間の距離が最小であり、前記操作端（２１）が、前記ばねアーチ（１３）から見て前記湾曲部（２０）の後に位置する前記クランプ脚（１５）の部分に力を加え、前記操作ボタン（６）が前記操作チャネル（５）内で移動すると、前記操作端（２１）が当該部分に沿って摺動することを特徴とする、請求項１から９のいずれか一項に記載の接続端子（１）。
【請求項１１】
前記湾曲部（２０）が、９０°〜１６０°の範囲の内角を有することを特徴とする、請求項１０に記載の接続端子（１）。
【請求項１２】
前記クランプ脚（１５）が、その端縁によってクランプ脚端（１６）にクランプ端縁（１７）を形成し、前記クランプ脚端（１６）を前記クランプ端縁（１７）と共に有するクランプ部が、前記バスバー（８）の前記接続開口部（９）に向かって曲がっていることを特徴とする、請求項１から１１のいずれか一項に記載の接続端子（１）。
【請求項１３】
前記クランプ脚（１５）が、各操作状態で、前記操作ボタン（６）が長手方向に移動可能に案内される摺動平面（Ｇ）に対して５０°未満の角度で、前記操作ボタン（６）に力を加えることを特徴とする、請求項１から１２のいずれか一項に記載の接続端子（１）。
【請求項１４】
前記操作軸（Ｂ）と前記導体挿入軸（Ｌ）とが、異なる交点で互いに独立してクランプばね（１１）の前記クランプ脚（１５）と交差し、互いに間隔を空けて前記バスバー（８）の前記接続開口部（９）を通過して延び、前記接続開口部（９）が有する前記バスバー（８）の平面の下方で交差することを特徴とする、請求項１から１３のいずれか一項に記載の接続端子（１）。
【請求項１５】
前記操作ボタン（６）が、前記操作チャネル（５）内に突起部を備えて前記操作ボタン（６）の操作方向と反対方向に戻り止めを形成する段部を有することを特徴とする、請求項１から１４のいずれか一項に記載の接続端子（１）。
【請求項１６】
前記操作チャネル（５）と前記導体挿入チャネル（３）との間に隔壁（７）があり、前記隔壁（７）に対向する前記操作チャネル（５）の境界壁が、前記操作軸（Ｂ）に対して相対的に傾いていることを特徴とする、請求項１から１５のいずれか一項に記載の接続端子（１）。
【請求項１７】
前記操作ボタン（６）が、溝状の窪み（３２）を有することを特徴とする、請求項１から１６のいずれか一項に記載の接続端子（１）。
【請求項１８】
−  導体挿入軸（Ｌ）と同軸に配置され、少なくとも部分的に周回する導体チャネル壁（４）を有する前記導体挿入軸（Ｌ）の方向に延びる導体挿入チャネル（３）と、前記導体挿入チャネル（３）に隣接して配置される操作チャネル（５）とを有する絶縁材ハウジング（２）と、
−  当接脚（１２）、クランプ脚（１５）、および前記当接脚（１２）を前記クランプ脚（１５）に結合するばねアーチ（１３）を有するＵ字状に曲げられた脚ばね（１１）と、
−  接続開口部（９）を備えたバスバー（８）と、
−  長手方向に移動可能に前記操作チャネル内（５）に収容された操作ボタン（６）と
を有し、
前記脚ばね（１１）が前記接続開口部（９）に装入され、前記当接脚（１２）が前記バスバー（８）に支承され、前記バスバー（８）の接触領域を備えた前記クランプ脚（１５）のクランプ縁部（１７）が、前記導体挿入チャネル（３）に挿入された導電体をクランプするためのスプリングクランプ端子を形成する接続端子（１）であって、
前記クランプ脚（１５）が前記操作ボタン（６）によって前記当接脚（１２）に移動している操作状態の前記バスバー（８）と前記操作ボタン（６）とが、前記接続開口部（９）内に突出し、前記操作チャネル（５）の中央操作軸（Ｂ）が、前記接続開口部（９）の中心軸に対して前記接続開口部（９）の幅方向にずれており、前記操作チャネル（５）内に収容された操作ヘッド（２２）が、それに隣接し前記接続開口部（９）に接続する前記操作ボタン（６）の部分よりも幅方向に厚いことを特徴とする、接続端子（１）。
【請求項１９】
前記操作ボタン（６）が、前記操作ヘッド（２２）から操作端（２１）に向かって、前記接続開口部（９）幅方向の断面で見て、前記操作チャネル（５）における前記接続開口部（９）の開口平面に対して傾斜して方向付けられていることを特徴とする、請求項１８に記載の接続端子（１）。
【請求項２０】
前記操作軸（Ｂ）が、前記接続開口面（９）が広がる平面に略垂直に方向付けられていることを特徴とする、請求項１から１９のいずれか一項に記載の接続端子（１）。
【請求項２１】
前記導体チャネル壁（４）が、前記操作チャネル（５）に対する隔壁（７）を形成し、前記操作ボタン（６）が、前記導体挿入チャネル（３）を円錐状に先細りにし、かつ前記操作軸（Ｂ）に平行に方向付けられた前記隔壁（７）の部分に案内されていることを特徴とする、請求項２０に記載の接続端子（１）。
【発明の詳細な説明】
【技術分野】
【０００１】
本発明は、
−  導体挿入軸と同軸に配置され、少なくとも部分的に周回する導体チャネル壁を有する導体挿入軸の方向に延びる導体挿入チャネルと、導体挿入チャネルに隣接して配置される操作チャネルとを有する絶縁材ハウジングと、
−  当接脚、クランプ脚、および当接脚をクランプ脚に結合するばねアーチを有するＵ字状に曲げられた脚ばねと、
−  バスバーと、
−  長手方向に移動可能に操作チャネル内に収容された操作ボタンと
を有し、
当接脚はバスバーに支承され、バスバーの接触領域を備えたクランプ脚のクランプ縁部は、導体挿入チャネルに挿入された導電体をクランプする（換言すれば、締め付ける）ためのスプリングクランプ端子を形成する接続端子に関する。
【０００２】
「同軸」とは、円筒形の導体チャネル壁に関する配置のみではないと解される。伸長方向の導体チャネル壁の一定断面の重心が導体挿入軸に平行に延びている場合は同軸である。
【背景技術】
【０００３】
独国特許出願公開第１０２０１３１１１５７４号は、絶縁材ハウジング内に移動可能に収容された操作ボタンを有する導電体をクランプするためのスプリングクランプ端子を示している。操作ボタンは、クランプばねのクランプ脚と当接するための操作面を有するため、操作ボタンはクランプ脚上で案内される。操作ボタンの突起物は、導体挿入開口部の連通部内に突出し、導体挿入開口部の内壁の一部を形成する。
【０００４】
独国特許出願公開第１０２０１５１２００６３号は、絶縁材ハウジングと、スプリングクランプ端子部と、プッシャ差込口に移動可能に収容されたプッシャとを備えた導体接続端子を示している。プッシャは突出したプッシャ突起を有し、プッシャ突起は、バスバーに導入された導体収容開口部上部において操作状態で終了する。プッシャは、導体挿入方向を規定する導体挿入開口部の境界壁に、この導体挿入方向に対して平行に移動可能に支承されている。
【０００５】
このような接続端子の絶縁材ハウジングおよび操作ボタンは、プラスチック材から製造される。操作ボタンと、それを介した絶縁材ハウジングとに作用する力は、プラスチック材の変形を引き起こす可能性がある。これは特に、クランプばねに加えて導体挿入開口部と操作ボタンとを格納するためにクランプばねの領域において使用可能な設置スペースと、使用可能な材料厚さとが非常に限られているためである。
【発明の概要】
【発明が解決しようとする課題】
【０００６】
これに基づいて、本発明の課題は、改善された接続端子を提供することである。
【課題を解決するための手段】
【０００７】
この課題は、請求項１の特徴を備えた接続端子によって解決される。有利な実施形態は従属請求項に記載されている。
【０００８】
操作チャネル内の操作ボタンの縦移動（換言すれば、長手方向の移動）方向によって定義される操作軸の方向付けにより、導体挿入軸に対して５°〜３０°、好ましくは５°〜２０°の角度で、導体挿入開口部と操作ボタンとが非常に小さい設置スペースに収容できる。それにより、挿入された導体と操作ボタンとは、それらが相互に対してそのような鋭角にある場合、共通の（仮想の）合流点において絶縁材ハウジングへ向かって変位する。角度オフセットにより、操作ボタンを最適に支持するために、操作チャネルと導体挿入チャネルとの間の使用可能なスペースを利用することができる。導体挿入チャネルの伸長方向と操作チャネルの伸長方向との間の相対的な角度オフセットにより、クランプばねのクランプ脚から操作ボタンに作用する力の方向を改善して、操作ボタンの変形、ひいては絶縁材ハウジングの変形にも対抗する。
【０００９】
角度は、特に構成的に適合されたノズルによってより大きくすることができ、この時、２０°以上の指定された上限の角度範囲となることができる。所望の角度方向を得るために、同等の構成が考えられる。
【００１０】
導体チャネル壁は、操作チャネルに対する隔壁を形成してもよい。そして、操作ボタンは、導体挿入チャネルを円錐状に先細りにする隔壁の部分に案内される。この部分は、操作軸に平行に方向付けられる。
【００１１】
操作軸は、接続開口部が広がる平面に略垂直に方向付けられる。「略垂直」とは、特に公差が±５°、好ましくは±２°の９０°の角度と解される。
【００１２】
この円錐状に先細りになった部分は、このように、クランプすべき導電体の絶縁された端部を、クランプ箇所に向かって的確に案内するために利用されるだけでなく、クランプばねの近くにある領域において操作ボタンの支持壁を提供する。偏向したクランプばねの影響下で、操作ボタンを介して隔壁の円錐状に先細りした部分に作用する力成分は、導体挿入チャネルの隔壁の円錐状に先細りしていない部分で操作ボタンを支持する場合よりも、より鋭角に作用する。このようにして、隔壁の塑性変形または弾性変形のリスクを減らすことができる。
【００１３】
バスバーは接続開口部を有してもよく、脚ばねはこの接続開口部に装入されている。そして、クランプ脚が操作ボタンによって当接脚に向かって変位する操作状態において、操作ボタンは、この接続開口部に突出する。
【００１４】
材料通路の様式で、案内壁を備えたチャネル状に構成することもできるこのような接続開口部によって、導電体を確実にクランプ箇所に案内することができる。これは特に、導体を、操作ボタンを用いてクランプばねを事前に偏向させることなしにクランプする場合、ストランドが広がる可能性があるマルチワイヤ導電体に対して当てはまる。そのような接続開口部では、導電体とクランプばねとを収容するために使用可能なスペースが大幅に削減される。操作軸と導体挿入軸とを互いに対して５°〜２０°の角度で方向付けることにより、使用可能な小さな場所を変形リスクなしに最適に活用できる。ここで、操作ボタンのストロークがクランプ脚のクランプ端に向かって可能な限り利用される場合、操作ボタンとクランプばねとの相互作用は実質的に改善される。これは、操作ボタンが操作状態で接続開口部に落ちると達成される。これにより、使用可能な場所がさらに制限される。しかしながら、このストロークスペースは実際には、操作軸と導体挿入軸が互いに５°〜２０°の角度で方向付けられている場合に利用可能である。導電体は、有利にはこのようにして操作ボタンに沿って案内され、クランプ脚に衝突しない。
【００１５】
操作ボタンは、クランプ脚に力を加えるその操作端で、操作端の幅を縮小する段部を有してもよい。段部は、接続開口部を区切るバスバーの縁部領域に支承するストッパを形成する。操作ボタンの操作端が接続開口部に落ちることができるように先細りになっていることにより、操作ボタンの移動経路は、操作ボタンとバスバーとの間にストッパを形成する段部によって区切られる。さらに操作ボタンは、操作端のように、操作端上部の段部によって幅が広くなる。これにより、操作ボタンはより安定し、隣接する導体挿入チャネルの略円筒形の形態によって中央領域よりも強い領域で、絶縁材ハウジングの幅広い端部で支持することができる。
【００１６】
操作ボタンのクランプ脚に向いた面は、操作ヘッドから、突出部なしにクランプ脚まで形成することができる。換言すれば、操作ボタンは、操作軸に垂直な断面において、導体挿入チャネルからクランプばねの方向に見て、操作ヘッドから突出部のない状態でクランプ脚まで形成されている。したがって、操作端が、クランプ脚の方向または導体挿入チャネルの連通口とは反対方向に一定のままである断面を有する場合、すなわち膨隆がない場合、クランプばねによって操作ボタンに作用する可能性のある曲げモーメントが回避されるか、または少なくとも低減される。さらに、操作ボタンに必要なスペースは、突起のない構成により小さく抑えられている。
【００１７】
クランプ脚に力を加える操作ボタンの操作端の端面は、角のない（換言すれば、丸みのある）輪郭を持つことができる。そして、操作端は先細りするが、角のない輪郭によって不利な突起が形成されることはない。
【００１８】
操作チャネルは、導体挿入チャネルの円筒形周面収容部に隣接するヘッド部で、絶縁材ハウジングの外側に向かって円錐状に拡張されてもよい。したがって、操作ボタンは、導体挿入チャネルからクランプばねに向かった断面で見て、絶縁材ハウジングの外側に向かって厚みが増える、円錐状に拡張したヘッド部に操作ヘッドを有する。操作軸と導体挿入軸とが傾斜することにより、平行方向と比較して外側へ拡大した設置スペースは、幅の広い操作ボタンを実現するために利用できる。そして、操作チャネルは、円錐状に拡張するヘッド部に適合した断面を有し、これにより、絶縁材ハウジングの射出成形製造中に射出成形ツールの金型からの取り外しが簡単かつ確実に可能になる。
【００１９】
円錐状に外側に拡張するヘッド部によって、操作ボタンに力を加える面が提供され、これは、操作ツールとして市販のスクリュードライバで確実に力を加えることができる。
【００２０】
クランプばねのクランプ脚は、クランプ脚が操作ボタンによって当接脚に偏向されない非操作状態のばねアーチから、ばねアーチに対して方向付けられ、クランプ脚が操作ボタンと並んで操作ボタンの伸長方向に伸長し、静止位置にある非操作状態の操作ボタンの操作端下で湾曲部の後に、操作チャネルおよび導体挿入チャネルまたは連通口を通過する。その後、ばねアーチから見てクランプ脚が操作ボタンの操作端下を通過するクランプ脚のこの湾曲部は、クランプ脚と当接脚との間の距離が最小になる領域を表す。そして、操作ボタンの操作端は、操作端がばねアーチから見て湾曲部の後に位置するクランプ脚の部分に力を加え、操作ボタンが操作チャネル内で移動すると、この部分に沿って摺動するように、クランプ脚に方向付けられる。したがって、クランプばねは、ばねアーチから湾曲後に位置するクランプ脚の領域において、ばねアーチから距離を置いて力を加える。したがって、絶縁材ハウジング上の操作ボタンの摺動平面に対する、または操作軸の方向のクランプばねの力作用が、操作ボタンに作用する傾斜および曲げモーメントと変形エネルギーが低く保たれるような最適な角度となることが保障される。
【００２１】
クランプ脚の湾曲部は、９０°〜１６０°の範囲、好ましくは最大１４０°の内角を有することができる。これにより、クランプ脚が上記の理由により、操作軸または操作ボタンの摺動平面と適切な関係で方向付けられることが保障される。
【００２２】
クランプ脚は、その端縁によってクランプ脚端にクランプ端部を形成できる。クランプ脚端がクランプ端部に接続するクランプ部を、バスバーの接続開口部に向かって内側に曲げることができる。クランプ脚端でクランプ脚をこうしてさらに折り畳むことにより、クランプ脚端での曲げがなくても可能であるように、操作ボタンの操作端に作用するクランプ脚の部分を操作軸に対してより大きな角度で方向付けられる。
【００２３】
クランプばねのクランプ脚は、各操作状態で、操作ボタンが長手方向に移動可能に案内される摺動平面に対して、５０°未満の角度で操作ボタンに力を加えるように構成できる。これにより、操作ボタンに作用する傾斜モーメントと変形エネルギーとが可能な限り低く保たれることが保障される。
【００２４】
操作軸と導体挿入軸とは、異なる交点で独立してクランプばねのクランプ脚と交差し、互いに間隔を空けてバスバーの接続開口部を通過して延び、接続開口部が有するバスバーの平面の下方で交差してもよい。したがって、操作ボタンとクランプされる導体とは互いに近接しており、操作ボタンと導電体とがクランプ脚上で互いに独立して作用するように、互いに角度を付けて方向付けられ、操作ボタンは操作時にクランプ脚上を摺動する。
【００２５】
操作ボタンの操作端は、操作状態では、クランプ脚端部に近接しているか、またはクランプ縁部に近いため、全体的に端子を小さくすることができる。操作端がクランプ脚に沿ってかなり長い経路に沿って摺動する事実に関連して、さらに操作力が均一になり、ひいては全体的に減少する。したがって、操作力は、操作経路全体にわたって略同じに保つことができ、均一な操作力レベルにつながる。したがって、操作ボタンを安全かつ均一に戻すことが可能である。
【００２６】
操作ボタンは、操作チャネル内に突出部を備えて操作ボタンの操作方向と反対方向に戻り止めを形成する段部を有することができる。これにより、操作ボタンの操作チャネルからの脱落が防止される。取り付け時に、操作ボタンが操作チャネルに挿入され、これにより、戻り止めが切欠きまたは側壁の係止縁部の後ろに収まるまで、側壁を広げることができる。
【００２７】
操作チャネルと導体挿入チャネルとの間に隔壁がある。隔壁に対向する操作チャネルの境界壁は、操作軸に対して傾いている。したがって、隔壁に対向する操作チャネルの内壁は、操作チャネルの操作開口部に対して傾いて延びる。これにより、操作ボタンが戻る際、隔壁または導体挿入チャネルの方向へ操作ボタンが傾斜し、その結果、隔壁とヘッド端との間のスリットが減少し、好ましくは少なくとも大幅に閉じられる。したがって、汚れおよび／または異物の侵入の可能性が回避され、視覚的な外観も改善される。
【００２８】
操作ボタンは、溝状の窪みを有してもよい。これらの溝状の窪みは、例えば、側方支持面に配置することができる。異なる種類の操作ボタンに対して、異なる窪みを設けることができる。したがって、自動化された取り付けのための光学検知のため、操作ボタンの符号化が可能である。
【００２９】
汎用の接続端子については、クランプ脚が操作ボタンによって当接脚に変位している操作状態のバスバーと操作ボタンとが、接続開口部内に突出することがさらに提案されている。操作チャネルの中央操作軸は、接続開口部の中心軸に対して接続開口部の幅方向にずれている。操作チャネル内に収容された操作ヘッドは、それに接続し接続開口部に通じる操作ボタンの部分よりも幅方向に厚い。したがって、バスバーの平面における接続開口部の中心は、操作チャネルの中心と一直線上にないため、全体的に対称的に構成された操作ボタンが装入されると、接続端子の絶縁材ハウジングの側壁と、操作ボタンとの間において操作チャネルに隙間が存在する。このような隙間を縮小および／または均等化し、同時に、例えば端子ブロックの両端で、互いに鏡対称に回転した、すなわち反転した同じ対称的な操作ボタンを使用するために、幅方向の操作ボタンの操作ヘッドは、残りの部分よりも少し厚く構成されている。これにより、操作チャネルの幅方向の操作開口部が、小さな隙間まで塞がれる。この時、操作ボタンは操作チャネルにおいて、支持レール上の端子ブロックの整列方向に対してわずかに傾斜して方向付けられている。接続端子の上記の他の特徴と組み合わせ可能なこの実施形態は、結果として接続端子の上面に均一な接続パターンを有する。
【００３０】
本発明の意味において、不定の用語「ｅｉｎ」は、数語としてではなく、それ自体として理解されるべきであり、「少なくとも１つ」の意味に複数も含まれる。
【００３１】
以下に、本発明を、添付の図面を伴う実施例を参照して詳述する。
【図面の簡単な説明】
【００３２】
【図１】非操作状態の接続端子の断面図を示す。
【図２】図１の接続端子の操作状態の断面図を示す。
【図３】図１の接続端子の一部の上面図を示す。
【図４】非操作状態の図１の接続端子の一部の横断面図を示す。
【図５】操作状態の図２の接続端子の一部の横断面図を示す。
【図６】非操作状態の別の接続端子の断面図を示す。
【図７】操作状態の図６の接続端子を示す。
【図８】接続端子の実施形態の一部の横断面図を示す。
【図９】断面Ａ−Ａにおける図８の一部の横断面図を示す。
【図１０】断面Ｂ−Ｂにおける図８の一部の横断面図を示す。
【図１１】断面Ｃ−Ｃにおける図８の一部の断面図を示す。
【図１２】図７の接続端子の操作ボタンの正面側の斜視図を示す。
【図１３】図７の接続端子の操作ボタンの背面側の斜視図を示す。
【図１４】図８の接続端子の斜め下から見た斜視図を示す。
【発明を実施するための形態】
【００３３】
図１は、絶縁材ハウジング２を備えた接続端子１の断面図を示す。接続端子１は、図示の実施例では、一部のみ示され、そのような接続端子を複数有することができる端子ブロックの一部である。
【００３４】
絶縁材ハウジング２は、周囲の導体チャネル壁４によって区切られた導体挿入チャネル３を有する。導体挿入チャネル３に加えて操作チャネル５が配置されており、操作ボタン６が移動可能に支承されている。操作チャネル５に隣接した導体挿入チャネル３の導体チャネル壁４は、操作チャネルに対する隔壁７を形成する。
【００３５】
接続端子１は、接続開口部９を備えたバスバー８をさらに有しており、接続開口部９は、バスバー８の広がった平面に導入されている。接続開口部９は、バスバー８の平面から導電体の挿入方向に向けて下方に突出した、バスバー８の縦伸長方向に向いた側部案内壁１０ａと、当接壁１０ｂと、接触壁１０ｃとを備えた材料通路として形成される。案内壁１０ａは、バスバー８の材料から一体的に形成され、導電体の案内壁を提供する。
【００３６】
バスバー８のこの接続開口部９には、Ｕ字状に曲げられた脚ばね１１が装入されている。脚ばね１１は、バスバー８から突出する当接壁１０ｂに当接し、そこで支持されている当接脚１２を有する。脚ばね１１の当接脚１２には、ばねアーチ１３が接続されている。脚ばねは、絶縁材ハウジング２の自由空間に収容されている。脚ばね１１の移動スペースは、自由空間を区切る絶縁材ハウジング２の壁面によって、および任意で追加の保持ピン１４によって区切ることができる。
【００３７】
ばねアーチ１３で、当接脚１２に直径方向に対向したクランプ脚１５が接続する。このクランプ脚１５は、その自由なクランプ端が接続開口部９ａ内に潜り込む。クランプ脚１５は、その端縁によってクランプ脚端部１６にクランプ縁部１７を形成する。そして、導体挿入チャネル３に導入された導電体を、クランプ縁部１７とバスバー８との間にクランプできる。このために、バスバー８は、バスバー８の材料から一体的に形成され、接続開口部９の一直線上でバスバー８の平面に対して斜めに延びる接触壁１０ｃを提供する。この接触壁１０ｃは、突出する接触縁部１９が提供され、導体が挿入されていない図示の静止状態において、接触壁１８の接続開口部９のクランプ縁部１７が当接するように構成されている。
【００３８】
クランプ脚１５は、ばねアーチ部１３の近傍に湾曲部２０を有し、クランプ脚１５が操作ボタン６によって偏向されない図示の非操作状態において、クランプ脚１５がばねアーチ１３からまず操作ボタン６横の操作ボタン６の伸長方向に、次に操作ボタン６の操作端２１の下に接続する湾曲部２０まで延びる。クランプ脚１５は、このようにして、操作チャネル５と導体挿入チャネル３とを通り、連通口を横方向に通過する。「横断」とは、クランプ脚１５が操作チャネル５、および導体挿入チャネル３と４５°以上の角度で交差し、したがって実質的に垂直に方向付けられると解される。
【００３９】
クランプ脚１５は、湾曲部２０と共に、湾曲部におけるクランプ脚１５と当接脚１２との間の距離が最も小さくなるようにさらに形成されている。
【００４０】
さらに、非操作状態での隔壁７がクランプ脚１５まで下げられることは明らかである。隔壁７は、クランプ脚１５に接触する必要はなく、小さな隙間の距離でクランプ脚１５に隣接すればよい。しかしながら、この距離は可能な限り小さくすべきであり、公差の尺度であるクランプ脚１５の厚さよりも小さいことが好ましい。これにより、操作ボタン６はクランプばね１１近傍においても、操作ボタン６と、ひいてはそれに当接する隔壁７に対するクランプばね１１による力が最大となる領域で案内される。
【００４１】
さらに、導体挿入チャネル３の外側に先導する領域において、円筒形周面収容部Ｍが、周回する導体チャネル壁４によって生成されることも明らかである。この周面収容部Ｍは、楕円形または多角形であってもよい。周面収容部Ｍの領域において、導体挿入軸Ｌ上の直径または断面積が一定であることのみが重要である。導体挿入軸Ｌは、導体挿入チャネル３の伸長方向によって、ひいては導体挿入チャネル３と同心円状に延びる導体チャネル壁４によって決定される。
【００４２】
周面収容部Ｍには、バスバー８に向かって円錐状に先細りになる部分が接続している。操作チャネル５の中間壁として機能する隔壁７は、導体挿入チャネル３のこの円錐状に延びる部分において操作軸Ｂの方向に延び、この操作軸Ｂに平行に方向付けられている。操作軸Ｂは、操作ボタン６の伸長方向と、操作軸Ｂの周りに同心円状に延びる、これに適合した操作チャネル５の内壁の形状とによって決定される。
【００４３】
操作軸Ｂが導体挿入軸Ｌに対してある角度で方向付けられていることが明らかである。操作軸Ｂと導体挿入軸Ｌとの間の角度は５°〜２０°の範囲である。図示の実施例では、約１５°±５°である。
【００４４】
また、操作軸Ｂが、バスバー８の平面、ひいては接続開口部９が広がる平面に対して略垂直に方向付けられていることも明らかである。導体挿入軸Ｌは、バスバーの平面に対して約７５°の内角を有する。
【００４５】
また、操作チャネル５は、円筒形周面部分Ｍに隣接するヘッド部において、絶縁材ハウジング２の外側に向かって円錐状に拡張していることがわかる。操作チャネル５のこの円錐状に拡張するヘッド部では、操作ボタン６の操作ヘッド２２は、導体挿入チャネル３からクランプばねまでの横断面で見て、つまり図示の断面で見て、ヘッド端部に向かって厚さが増加している。
【００４６】
操作ボタン６のヘッド端には、操作スリット２３または他の切欠きが存在し、これは操作ツールの端部を収容するために設けられている。
【００４７】
導体挿入チャネル３と操作チャネル５との間の隔壁７は、その外端にタブ２４を有する。これは、弾性変形により導体挿入チャネル３および操作チャネル５から射出成形部品を除去した後に生じる。
【００４８】
図２は、操作状態にある図１の接続端子１を示している。ここで、操作ボタン６が操作チャネル５内において、操作軸Ｂの方向にバスバー８に向かって下方に、直線的に移動することが明らかである。この場合、操作ボタン６は、隔壁７によって形成された摺動平面Ｇ上で操作軸Ｂの方向に案内される。操作ボタン６の操作中、すなわちバスバー８の方向に押し下げられている間、クランプばね１１のクランプ脚１５が操作ボタン６に力を加える。この時、力の方向は、摺動平面Ｇに対して常に５０°未満であり、したがって実質的に操作軸Ｂの方向に向けられる。したがって、操作ボタン６に作用する横方向の力の影響は著しく低減される。これに加えて、大幅に下の位置でバスバー８に対して引かれた隔壁７は、そのような横方向の力と、結果として生じる傾斜モーメントとを受けることができる。クランプばね１１によって操作ボタン６に作用する力は、各操作状態において、絶縁材ハウジング２によって支持されていない操作ボタン６の領域ではなく、隔壁７に向けられている。
【００４９】
クランプ脚１５は、２つの偏向状態で示されている。上部の操作ボタン６に重なった状態では、操作ボタン６はバスバー８の接続開口部９に落ちない。その場合、導電体をクランプするためのプラグ寸法Ｓ１は、円錐状に先細りした導体挿入チャネル３の最小直径よりもはるかに小さい。導電体は、クランプ端１６に突き当たり、クランプ端１６からこの狭窄に案内される。
【００５０】
クランプ脚１５の実際の偏向状態は、プラグ寸法Ｓ２でさらに偏向される。ここで、円錐状に先細りした導体挿入チャネル３の略完全な最小直径に対応するプラグ寸法が達成されることが明らかである。この状態では、操作端２１を備えた操作ボタン６は、深さＴを有するバスバー８の接続開口部９に沈む。この深さＴは、接続開口部９に接続する領域におけるバスバー８の厚さよりも大きい。次に、隔壁７によって案内され、導体挿入チャネル３に挿入される導電体が、まず操作ボタン６の操作端２１を通って案内され、次いでクランプ縁部１７に到達することが明らかである。したがって、操作ボタン６の操作端２１は、接続端子の内部を向いた隔壁７の自由端部と、クランプ脚端１６との間にある。したがって、クランプ脚１５のクランプ縁部１７は、操作ボタン６の操作端２１に対して後退している（換言すれば、下がっている）。
【００５１】
さらに、クランプ脚１５から当接脚１２までの最小距離が、操作状態でも、少なくとも湾曲部２０の領域にあることが明らかである。
【００５２】
操作ボタン６が操作されると、操作端２１は、湾曲部２０に接続する領域のクランプ脚１５上で、クランプ脚端１６に向かってさらに湾曲するまで摺動する。したがって、クランプ脚１５に沿って比較的長い摺動経路が利用される。バスバー８に隣接するまで引き下げられた隔壁７と、操作軸Ｂの方向に突出せずに伸長し、操作軸８の一直線上において操作端２１で作用する操作ボタン６に関連するこの構成では、操作ボタン６に加わる変形力が最小である。加えて、長い操作ストロークによる操作ボタン６とクランプばね１１との間の相互作用が最適である。導電体をクランプし、クランプばね１１を収容するための接続開口部９の小さな使用可能なスペースは、操作軸Ｂと導体挿入軸Ｌとの角度オフセットによって、操作ボタン６を収容するためにさらに利用することができる。したがって、ばねアーチ１３から限りなく離れた点において、完全な操作状態でクランプばね１１に作用することが可能になり、それにより力の作用が最適化される。
【００５３】
さらに、外側に円錐状に拡張する操作ヘッド２２は、完全に押し下げられた操作状態で、絶縁材ハウジング２の外側に向かって円錐状に拡張する操作チャネル５のヘッド部に適合されることも明らかである。ここで、任意で、ヘッド部の段部２５は、操作チャネル５の段部２６と共に、バスバー８への操作ボタン６の移動経路が区切られるストッパを形成することができる。
【００５４】
図３は、非操作状態の図１の接続端子１の一部の上面図である。ヘッド２２が操作スリット２３を有することは明らかである。これは、十字型、角型または丸型等の別の形状を有してもよい。
【００５５】
さらに、導体挿入チャネル３と操作チャネル５との間で導体チャネル壁４を形成する隔壁７は、導体挿入チャネル３の断面で見て湾曲していることが明らかである。操作ヘッド２２は、それに適合した湾曲した輪郭を有する。これは、操作ヘッド２２に接続し、操作端２１に向かって案内される操作ボタン６の部分にも該当し、操作ボタン６は、その長さにわたって一定の断面を有する。
【００５６】
図４は、非操作状態の図１の接続端子１の横断面図を一部として示す。操作ヘッド２２の領域におけるバスバー８の幅方向の断面における操作ボタン６は、接続するバスバー８に向かって案内される中間部分２７よりも小さい幅を有することがわかる。この中間部分２７において、側方に支持面２８ａ、２８ｂが操作ボタン６の輪郭から突出し、これらは絶縁材ハウジング２の案内壁面に支承されている。この支承は、中間に位置する隔壁７の中央領域にある部分と比較して、隣接する導体挿入チャネル３によって弱められていない、絶縁材ハウジング２の領域において行われる。
【００５７】
さらに、操作ボタン６は、クランプ脚１５に力を加える操作端２１に、中間部分２７および操作ヘッド２２と比較して操作端２１の幅が縮小された段部２９ａ、２９ｂを有することもわかる。この段部２９ａ、２９ｂは、接続開口部９を区切るバスバー８の縁部領域３０を支承するためのストッパを形成する。
【００５８】
操作部分２１の幅は、図示された断面を見ると、バスバー８の接続開口部９の幅に適合され、接続開口部９のこの幅より少なくともわずかに小さい。このようにして、操作ボタン６が接続開口部９に沈むことが保障される。
【００５９】
図５は、操作状態の図２の接続端子１の横断面図を示す。ここで、操作端２１がバスバー８の接続開口部９に沈んでいるのが明らかである。中間部分２７の幅広い側方支持面２８ａ、２８ｂの操作端２１への移行部に形成された段部２９ａ、２９ｂは、接続開口部９を横方向に画定するバスバー８の縁部領域３０に当接する。この場合、操作ボタン６が接続開口部９にさらに押し下げられることが防止される。
【００６０】
さらに、図４および図５から、接続開口部９０の中心が操作チャネル５の中心と一直線上にないことが明らかである。全体的に対称的に形成された操作ボタン６を装入する場合、接続端子１の絶縁材ハウジング２の側壁と操作ボタン６との間の操作チャネル５に隙間が存在する。
【００６１】
図６は、接続端子１のさらなる実施形態の断面図である。これは、前述の接続端子１と構造が似ており、これに関していくつかの変更点しかない。したがって、実質的に、前述の説明を参照することができる。
【００６２】
ここでも、導体挿入チャネル３が最初に円筒形周面部Ｍを有し、それが次に円錐状に先細りの部分に融合することが明らかである。ここで、円錐状に先細りになった領域の隔壁７は、操作ボタン６のための支承・摺動面Ｇを形成する。摺動面Ｇは、操作軸Ｂに平行に方向付けられている。ここでも、隔壁７は、バスバー８の上部平面および接続開口部９が広がる平面から引き下げられ、非操作状態のクランプ脚１５は、場合によって小さな隙間を空けて隔壁７に直接隣接する。
【００６３】
この実施例では、操作ヘッド２２は、導体挿入チャネル３の方向に突起物３１を有し、非操作状態において、操作チャネル５の円錐状に拡張するヘッド部内に自由に突出している。
【００６４】
クランプばね１１に隣接する領域では、操作ボタン６は突出部なしに実施され、操作端２１に向かって先細りする。クランプ脚１５から、操作力Ｆが操作ボタン６のクランプ端２１に加えられ、図示のように摺動平面Ｇまたは操作軸Ｂに対して鋭角に方向付けられている。この鋭角は５０°未満である。図示された非操作状態では、摺動平面Ｇに対する力の方向Ｆの内角は約３０°である。
【００６５】
また、この実施例では、操作軸Ｂは、導体挿入軸Ｌに対してある角度でオフセットして配置されている。この角度も約１５°±５°である。
【００６６】
１６°の角度が非常に適切であり、操作軸Ｂは、バスバー８の平面またはバスバー８の接続開口部９が広がる平面に対して垂直である。
【００６７】
図７は、操作状態の図６の接続端子を示す。ここで、操作ボタン６は、操作軸Ｂの方向に、またはバスバーまでの画像平面内下向きに、摺動平面Ｇに沿って直線的に移動するため、先細りした操作端２１はバスバー８の接続開口部９に沈む。この場合、クランプばね１１のクランプ脚１５は、操作端２１に操作力Ｆを及ぼし、これは、摺動平面Ｇに対して５０°未満の角度で作用する。ここでも内角が考慮される。したがって、クランプ脚５によって操作ボタン６に作用する力は、操作軸Ｂの方向へ、すなわち操作軸Ｂに対して横向きに向けられている。力の方向は、隔壁７に向かうように向けられている。したがって、操作端２１に作用する傾斜モーメントは無視できる。摺動平面Ｇと操作軸Ｂの伸長方向に沿っており、突起がない先細りした操作端２１により、操作ボタン６の安定性に悪影響を与える可能性があるこのような不利な傾斜モーメントと変形エネルギーとが回避される。
【００６８】
両方の実施例において、隔壁７に対向する導体チャネル壁４が、最初は傾斜面なしで周面収容部Ｍ上に案内されることが明らかである。そこに隣接し、導体挿入チャネル３の傾斜面の円錐状の先細りに案内される部分は、バスバー８の導体挿入方向に見て、周面収容部Ｍの下に位置する。
【００６９】
隔壁７は、周面収容部Ｍの下で操作チャネル５まで直線状に延びているが、第１の傾斜面後の対向する側の導体チャネル壁４は、周面部Ｍにおける導体チャネル壁４の伸長方向に実質的に沿うさらなる端部を有する。次に、この端部は、バスバー８を接続するための接続開口部９の移行部に入り、ひいてはクランプ壁１０ｃの延長部として機能する。
【００７０】
これに対し、第１の実施例では、操作ボタン６の案内部分領域において、操作開口部５への隔壁７は、バスバー８へ直線状に延びている。しかしながら、隔壁７は、この案内部分において不均一な断面を有し、周面部Ｍの下に、導体挿入チャネル３を円錐状に先細りさせる壁部分を形成する。導体挿入チャネル３のこの円錐状の先細りに続いて、バスバー８の接続開口部９への連通口の導体挿入チャネル３の端部は、円筒部分または一定断面の部分に移行する。
【００７１】
図８は、操作ボタン６の操作ヘッド２２の領域における接続端子１の実施形態の一部の横断面図を示す。隔壁７に対向する操作チャネル５の内壁４０は、操作チャネル５のヘッド端における操作開口部に向かって、隔壁７の方向に傾いて構成されていることが明らかである。操作ボタン６が図示のように戻る際、これは、隔壁７と導体挿入チャネル３の方向に操作ボタン６を傾斜させることにつながる。したがって、図３および図４で認識可能な、隔壁７と作動ヘッド２２との間の隙間またはスリットは、少なくとも大部分が閉鎖されている。したがって、汚れや異物の侵入の可能性が回避され、視覚的な外観が改善される。
【００７２】
操作ヘッド２２は、残りの部分よりも幅方向にわずかに厚く形成されていることが明らかである。したがって、操作チャネル５の操作開口部は、幅方向において小さな横方向の隙間まで広範囲に塞がれる。ここで、操作ボタン６は、操作チャネル５内において、支持レール上の端子ブロックの整列方向に、すなわち側壁に向かってわずかに傾斜している。したがって、端子ブロックの両端に、それぞれ同じ対称操作ボタン６を反転して使用でき、均一な接続図が実現される。
【００７３】
図９は、断面Ａ−Ａにおける図８の一部の横断面図である。操作ヘッド２２が、操作チャネルを小さな残りの隙間まで塞いでいることが明らかである。導体挿入チャネルの側壁が、横方向に開口していることも明らかである。この領域に、クランプするべき導電体の絶縁材料を沈めることができ、これが側壁の絶縁機能を引き継ぐ。したがって、接続端子は、例えば端子ブロックの形状で、狭く構成することができる。
【００７４】
図１０は、断面Ｂ−Ｂにおける図８の一部の横断面図を示す。この部分の操作ボタン６は、操作ヘッド２２の領域よりも著しく狭いことが明らかである。導体挿入開口部３もこの領域で横方向に開口し、クランプするべき導電体の絶縁材料周面で、またはその隣に配置された端子ブロックの側壁で、円周方向に閉じられる。
【００７５】
図１１は、断面Ｃ−Ｃにおける図８の一部の横断面図を示す。操作ボタン６は、この断面領域においてクランプばねのクランプ脚１５に当接しており、クランプ脚１５で押し下げられるとクランプ縁部に向かって摺動する。導体挿入開口部３は、この断面領域で先細りになっており、絶縁材ハウジング２によって円周方向に閉鎖されている。この断面領域では、クランプされるべき導電体の絶縁材が取り除かれた端部が収容される。
【００７６】
図１２および図１３は、図７の接続端子の操作ボタンの正面および背面斜視図を示している。操作ボタン６は、側方支持面２８ａ、２８ｂの領域で広がっていることがわかる。この幅は、少なくとも操作ボタン６の操作状態において、導体挿入チャネル３の幅または直径を超えて突出しているため、作用するばね力を、より厚い側方の側壁によって吸収することができる。これは図１１に示されている。隔壁７は、これによって中央領域でより薄くすることができ、その結果、接続端子の全体的な小型化がもたらされる。
【００７７】
さらに、操作ボタン６は、支持面２８ａ、２８ｂの領域に溝状の窪み３２を有することがわかる。これらは、操作ボタン６の異なる変形例では互いに異なっていてもよい。したがって、溝状の窪み３２は、自動化された光学検知によって検出することができ、自動化された取り付けに利用できる符号化である。
【００７８】
図１４は、図８の接続端子１の斜め下からの斜視図を示している。導体挿入チャネル３の横方向に開口した側壁が、絶縁材料によってクランプされるべき導電体３３で塞がれていることが明らかである。また、操作ボタンがクランプばね１１のクランプ脚１５に当接していることもわかる。支持面は、横方向に突出し、絶縁材ハウジング２に当接する。
【図１】
2020518954.tif 000003
【図２】
2020518954.tif 000004
【図３】
2020518954.tif 000005
【図４】
2020518954.tif 000006
【図５】
2020518954.tif 000007
【図６】
2020518954.tif 000008
【図７】
2020518954.tif 000009
【図８】
2020518954.tif 000010
【図９】
2020518954.tif 000011
【図１０】
2020518954.tif 000012
【図１１】
2020518954.tif 000013
【図１２】
2020518954.tif 000014
【図１３】
2020518954.tif 000015
【図１４】
2020518954.tif 000016
【国際調査報告】
2020518954.tif 000017
2020518954.tif 000018
2020518954.tif 000019
2020518954.tif 000020
2020518954.tif 000021
2020518954.tif 000022
2020518954.tif 000023